【手続補正書】
【提出日】平成27年3月4日(2015.3.4)
【手続補正１】
【補正対象書類名】特許請求の範囲
【補正対象項目名】全文
【補正方法】変更
【補正の内容】
【特許請求の範囲】
【請求項１】
複数個のＬＥＤ素子を直列に接続して構成したＬＥＤ素子の直列回路を有するＬＥＤ群と、
一定の周波数で周期的に変化する交流電圧を受け、前記交流電圧の前記周期に同期した電流遮断期間を有すると共に前記交流電圧の前記周期的な変化に従って周期的に電流値が変化する主電流を供給する主電流供給回路と、
前記主電流の少なくとも前記電流遮断期間にバイアス電流を供給するバイアス電流供給回路と、を設け、
前記主電流供給回路から供給される前記主電流により、前記交流電圧の前記周期的な変化に同期して電流値が変化すると共に周期的に遮断期間を有する主ＬＥＤ電流が、前記ＬＥＤ群に流れ、
前記ＬＥＤ群にはさらに、前記主ＬＥＤ電流の前記遮断期間に、前記バイアス電流供給回路からバイアスＬＥＤ電流が供給され、
前記ＬＥＤ群が有するＬＥＤ素子は、前記主ＬＥＤ電流と前記バイアスＬＥＤ電流に基づいて発光する、ことを特徴とするＬＥＤ素子を備えた照明装置。
【請求項２】
複数個のＬＥＤ素子を直列に接続して構成したＬＥＤ素子の直列回路を有するＬＥＤ群と、
一定の周波数で周期的に変化する交流電圧を受け、前記交流電圧の周期的な変化に同期した電流遮断期間を有すると共に前記交流電圧の前記周期的な変化に応じて周期的に電流値が変化する主電流を供給する主電流供給回路と、
前記交流電圧の前記周期的な変化に応じて充放電動作を繰り返し行うバイアス用コンデンサを有するバイアス電流供給回路と、設け、
前記主電流供給回路から供給される前記主電流により、前記交流電圧の前記周期的な変化に応じて電流値が変化すると共に電流遮断期間を有する主ＬＥＤ電流が、前記ＬＥＤ群に流れ、
前記ＬＥＤ群にはさらに、前記主ＬＥＤ電流の少なくとも前記電流遮断期間に、前記バイアス電流供給回路の前記バイアス用コンデンサからバイアスＬＥＤ電流が供給され、
前記ＬＥＤ群が有するＬＥＤ素子は、前記主ＬＥＤ電流と前記バイアスＬＥＤ電流に基づいて発光する、ことを特徴とするＬＥＤ素子を備えた照明装置。
【請求項３】
請求項２に記載のＬＥＤ素子を備えた照明装置において、
前記バイアス電流供給回路はさらに充電用ダイオードとバイパス電流調整抵抗を備え、前記バイアス用コンデンサの充電電流は前記充電用ダイオードを介して流れ、前記バイアス用コンデンサから前記ＬＥＤ群に供給される前記バイアス電流は前記バイパス電流調整抵抗を介して供給される、ことを特徴とするＬＥＤ素子を備えた照明装置。
【請求項４】
請求項２に記載のＬＥＤ素子を備えた照明装置において、
前記主電流供給回路は、主電流用コンデンサと、入力端子および出力端子を備える整流回路を有し、前記整流回路の前記入力端子に前記主電流用コンデンサを介して交流電流が供給され、
前記主電流用コンデンサを介して前記整流回路の前記入力端子へ供給された交流電流を前記整流回路によって整流することにより作られた脈動する前記主電流が、前記整流回路の前記出力端子から前記ＬＥＤ群へ供給され、
さらに前記整流回路の前記出力端子から前記バイアス用コンデンサを充電のための充電電流が前記バイアス用コンデンサへ供給される、ことを特徴とするＬＥＤ素子を備えた照明装置。
【請求項５】
請求項１に記載のＬＥＤ素子を備えた照明装置において、
前記主電流供給回路は、主電流用コンデンサと、入力端子および出力端子を備える整流回路を有し、
前記バイアス電流供給回路は、バイアス用整流回路を有し、
前記交流電圧が前記主電流用コンデンサへ供給されることにより、前記整流回路の前記入力端子に前記主電流用コンデンサを介して前記電流遮断期間を有する交流電流が供給され、
前記主電流用コンデンサを介して前記整流回路の前記入力端子へ供給された交流電流を前記整流回路によって整流することにより作られた脈動する前記主電流が、前記整流回路の前記出力端子から前記ＬＥＤ群へ供給され、
前記交流電圧が前記主電流用コンデンサとは別にさらに前記バイアス電流供給回路に供給され、前記バイアス用整流回路で整流され、前記ＬＥＤ群に前記バイアスＬＥＤ電流として供給される、ことを特徴とするＬＥＤ素子を備えた照明装置。
【請求項６】
請求項５に記載のＬＥＤ素子を備えた照明装置において、
前記バイアス電流供給回路はさらにバイアス電流用コンデンサを備え、前記バイアス用整流回路で整流された電流により前記バイアス電流用コンデンサが充電され、前記前記バイアス電流用コンデンサから前記バイアスＬＥＤ電流が供給される、ことを特徴とするＬＥＤ素子を備えた照明装置。
【請求項７】
請求項２乃至請求項６の内の一に記載のＬＥＤ素子を備えた照明装置において、
前記バイアス用コンデンサの容量値は１μＦから５μＦの間の容量値である、ことを特徴とするＬＥＤ素子を備えた照明装置。
【請求項８】
請求項１乃至請求項７の内の一に記載のＬＥＤ素子を備えた照明装置において、
樹脂材料で形成された長軸に沿って伸びるケースと、前記ケースの内側に配置された前記長軸に沿って伸びる樹脂製基板と、を備え、前記樹脂製基板に前記主電流供給回路および前記バイアス電流供給回路を設け、
さらに前記樹脂製基板の一方の面に前記ＬＥＤ群を構成する直列接続された前記ＬＥＤ素子を、前記長軸に沿って配置した、ことを特徴とするＬＥＤ素子を備えた照明装置。
【請求項９】
請求項１乃至請求項７の内の一に記載のＬＥＤ素子を備えた照明装置において、
前記ＬＥＤ群を構成する前記ＬＥＤ素子や主電流供給回路やバイアス電流供給回路を配置するための樹脂製基板と、前記樹脂製基板を覆うためのカバーが設けられ、
前記樹脂製基板の一方の面に前記ＬＥＤ素子が配置され、前記カバーには前記ＬＥＤ素子に対向して光透過部が設けられ、
前記光透過部は前記ＬＥＤ素子に対向して配置された光透過性材料からなる光透過性板で構成されている、
ことを特徴とするＬＥＤ素子を備えた照明装置。
【請求項１０】
請求項９に記載のＬＥＤ素子を備えた照明装置において、
前記樹脂製基板はその外周が円形形状をなし、前記円形形状の前記樹脂製基板の前記一方の面に前記ＬＥＤ素子が配置され、
前記カバーは樹脂材料で構成され、前記樹脂材料で作られた前記カバーに前記ＬＥＤ素子の配置に対応した円形形状の穴が形成され、円形形状の前記穴の部分に前記光透過性材料からなる前記光透過性板が配置されている、
ことを特徴とするＬＥＤ素子を備えた照明装置。
【手続補正２】
【補正対象書類名】明細書
【補正対象項目名】００１２
【補正方法】変更
【補正の内容】
【００１２】
前記課題を解決する第１発明は、複数個のＬＥＤ素子を直列に接続して構成したＬＥＤ素子の直列回路を有するＬＥＤ群と、一定の周波数で周期的に変化する交流電圧を受け、前記交流電圧の前記周期に同期した電流遮断期間を有すると共に前記交流電圧の前記周期的な変化に従って周期的に電流値が変化する主電流を供給する主電流供給回路と、前記主電流の少なくとも前記電流遮断期間にバイアス電流を供給するバイアス電流供給回路と、を設け、前記主電流供給回路から供給される前記主電流により、前記交流電圧の前記周期的な変化に同期して電流値が変化すると共に周期的に遮断期間を有する主ＬＥＤ電流が、前記ＬＥＤ群に流れ、前記ＬＥＤ群にはさらに、前記主ＬＥＤ電流の前記遮断期間に、前記バイアス電流供給回路からバイアスＬＥＤ電流が供給され、前記ＬＥＤ群が有するＬＥＤ素子は、前記主ＬＥＤ電流と前記バイアスＬＥＤ電流に基づいて発光する、ことを特徴とするＬＥＤ素子を備えた照明装置である。
【手続補正３】
【補正対象書類名】明細書
【補正対象項目名】００１３
【補正方法】変更
【補正の内容】
【００１３】
第２発明は、複数個のＬＥＤ素子を直列に接続して構成したＬＥＤ素子の直列回路を有するＬＥＤ群と、一定の周波数で周期的に変化する交流電圧を受け、前記交流電圧の周期的な変化に同期した電流遮断期間を有すると共に前記交流電圧の前記周期的な変化に応じて周期的に電流値が変化する主電流を供給する主電流供給回路と、前記交流電圧の前記周期的な変化に応じて充放電動作を繰り返し行うバイアス用コンデンサを有するバイアス電流供給回路と、設け、前記主電流供給回路から供給される前記主電流により、前記交流電圧の前記周期的な変化に応じて電流値が変化すると共に電流遮断期間を有する主ＬＥＤ電流が、前記ＬＥＤ群に流れ、前記ＬＥＤ群にはさらに、前記主ＬＥＤ電流の少なくとも前記電流遮断期間に、前記バイアス電流供給回路の前記バイアス用コンデンサからバイアスＬＥＤ電流が供給され、前記ＬＥＤ群が有するＬＥＤ素子は、前記主ＬＥＤ電流と前記バイアスＬＥＤ電流に基づいて発光する、ことを特徴とするＬＥＤ素子を備えた照明装置である。
【手続補正４】
【補正対象書類名】明細書
【補正対象項目名】００１４
【補正方法】変更
【補正の内容】
【００１４】
第３発明は、第２発明のＬＥＤ素子を備えた照明装置において、前記バイアス電流供給回路はさらに充電用ダイオードとバイパス電流調整抵抗を備え、前記バイアス用コンデンサの充電電流は前記充電用ダイオードを介して流れ、前記バイアス用コンデンサから前記ＬＥＤ群に供給される前記バイアス電流は前記バイパス電流調整抵抗を介して供給される、ことを特徴とするＬＥＤ素子を備えた照明装置である。
【手続補正５】
【補正対象書類名】明細書
【補正対象項目名】００１５
【補正方法】変更
【補正の内容】
【００１５】
第４発明は、第２発明のＬＥＤ素子を備えた照明装置において、前記主電流供給回路は、主電流用コンデンサと、入力端子および出力端子を備える整流回路を有し、前記整流回路の前記入力端子に前記主電流用コンデンサを介して交流電流が供給され、前記主電流用コンデンサを介して前記整流回路の前記入力端子へ供給された交流電流を前記整流回路によって整流することにより作られた脈動する前記主電流が、前記整流回路の前記出力端子から前記ＬＥＤ群へ供給され、さらに前記整流回路の前記出力端子から前記バイアス用コンデンサを充電のための充電電流が前記バイアス用コンデンサへ供給される、ことを特徴とするＬＥＤ素子を備えた照明装置である。
【手続補正６】
【補正対象書類名】明細書
【補正対象項目名】００１６
【補正方法】変更
【補正の内容】
【００１６】
第５発明は、第１発明のＬＥＤ素子を備えた照明装置において、前記主電流供給回路は、主電流用コンデンサと、入力端子および出力端子を備える整流回路を有し、前記バイアス電流供給回路は、バイアス用整流回路を有し、前記交流電圧が前記主電流用コンデンサへ供給されることにより、前記整流回路の前記入力端子に前記主電流用コンデンサを介して前記電流遮断期間を有する交流電流が供給され、前記主電流用コンデンサを介して前記整流回路の前記入力端子へ供給された交流電流を前記整流回路によって整流することにより作られた脈動する前記主電流が、前記整流回路の前記出力端子から前記ＬＥＤ群へ供給され、前記交流電圧が前記主電流用コンデンサとは別にさらに前記バイアス電流供給回路に供給され、前記バイアス用整流回路で整流され、前記ＬＥＤ群に前記バイアスＬＥＤ電流として供給される、ことを特徴とするＬＥＤ素子を備えた照明装置である。
【手続補正７】
【補正対象書類名】明細書
【補正対象項目名】００１７
【補正方法】変更
【補正の内容】
【００１７】
第６発明は、第５発明のＬＥＤ素子を備えた照明装置において、前記バイアス電流供給回路はさらにバイアス電流用コンデンサを備え、前記バイアス用整流回路で整流された電流により前記バイアス電流用コンデンサが充電され、前記前記バイアス電流用コンデンサから前記バイアスＬＥＤ電流が供給される、ことを特徴とするＬＥＤ素子を備えた照明装置。
【手続補正８】
【補正対象書類名】明細書
【補正対象項目名】００１８
【補正方法】変更
【補正の内容】
【００１８】
第７発明は、第２発明乃至第６発明の内の一に記載のＬＥＤ素子を備えた照明装置において、前記バイアス用コンデンサの容量値は１μＦから５μＦの間の容量値である、ことを特徴とするＬＥＤ素子を備えた照明装置である。
【手続補正９】
【補正対象書類名】明細書
【補正対象項目名】００１９
【補正方法】変更
【補正の内容】
【００１９】
第８発明は、第１発明乃至第７発明の内の一のＬＥＤ素子を備えた照明装置において、樹脂材料で形成された長軸に沿って伸びるケースと、前記ケースの内側に配置された前記長軸に沿って伸びる樹脂製基板と、を備え、前記樹脂製基板に前記主電流供給回路および前記バイアス電流供給回路を設け、さらに前記樹脂製基板の一方の面に前記ＬＥＤ群を構成する直列接続された前記ＬＥＤ素子を、前記長軸に沿って配置した、ことを特徴とするＬＥＤ素子を備えた照明装置である。
【手続補正１０】
【補正対象書類名】明細書
【補正対象項目名】００２０
【補正方法】変更
【補正の内容】
【００２０】
第９発明は、第１発明乃至第７発明の内の一のＬＥＤ素子を備えた照明装置において、前記ＬＥＤ群を構成する前記ＬＥＤ素子や主電流供給回路やバイアス電流供給回路を配置するための樹脂製基板と、前記樹脂製基板を覆うためのカバーが設けられ、前記樹脂製基板の一方の面に前記ＬＥＤ素子が配置され、前記カバーには前記ＬＥＤ素子に対向して光透過部が設けられ、前記光透過部は前記ＬＥＤ素子に対向して配置された光透過性材料からなる光透過性板で構成されている、ことを特徴とするＬＥＤ素子を備えた照明装置である。
【手続補正１１】
【補正対象書類名】明細書
【補正対象項目名】００２１
【補正方法】変更
【補正の内容】
【００２１】
第１０発明は、第９発明のＬＥＤ素子を備えた照明装置において、前記樹脂製基板はその外周が円形形状をなし、前記円形形状の前記樹脂製基板の前記一方の面に前記ＬＥＤ素子が配置され、前記カバーは樹脂材料で構成され、前記樹脂材料で作られた前記カバーに前記ＬＥＤ素子の配置に対応した円形形状の穴が形成され、円形形状の前記穴の部分に前記光透過性材料からなる前記光透過性板が配置されている、ことを特徴とするＬＥＤ素子を備えた照明装置である。